(57)【要約】【課題】測定に必要な血糖計及び器具の収納ケースへの収納忘れを防止する測定システムを提供する。【解決手段】測定システム１０は、血糖値を測定する血糖計２０と、血糖計２０による測定を行うために必要な複数の器具と、血糖計２０と前記複数の器具を収納する収納ケース１２とを備え、前記複数の器具は、チップ２２、穿刺部２４、及び穿刺用器具部２６からなり、使い捨て用器具であるチップ２２及び穿刺部２４を複数含み、血糖計２０及び各前記器具が収納ケース１２に収納されたか否かをそれぞれ検出し、検出結果に基づいて、音を出力することでユーザに注意を促す。【選択図】図６
2014050456.tif 000002
【特許請求の範囲】
【請求項１】
ユーザの体液の所定成分を測定する測定器と、
前記測定器による測定を行うために必要な複数の器具と、
前記測定器と前記複数の器具とを収納する収納ケースと、
を備える測定システムであって、
前記複数の器具は、１種類以上の器具からなり、且つ、同種類の使い捨て用器具を複数含み、
前記収納ケースは、前記測定器及び各前記器具が収納ケースに収納されたか否かをそれぞれ検出する検出部を備え、
前記測定システムは、前記検出部の検出結果に基づいて、音を出力することで前記ユーザに注意を促す報知部を備える
ことを特徴とする測定システム。
【請求項２】
請求項１に記載の測定システムであって、
前記報知部は、前記測定器が収納されているか否か、各種類の前記器具が収納されているか否か、及び、前記使い捨て用器具が収納されている場合は、同種類の前記使い捨て用器具の数を報知することで前記ユーザに注意を促す
ことを特徴とする測定システム。
【請求項３】
請求項１に記載の測定システムであって、
前記報知部は、前記測定器が検出されなかった場合、前記収納ケースに収納される種類の器具のうち少なくとも１種類以上の器具が検出されなかった場合、又は、同種類の前記使い捨て用器具の数が閾値以上検出されかなった場合は、その旨を報知することで前記ユーザに注意を促す
ことを特徴とする測定システム。
【請求項４】
請求項３に記載の測定システムであって、
前記閾値は、１日の予定測定回数から、前記測定器によって既に行われた１日の測定回数を減算した値である
ことを特徴とする測定システム。
【請求項５】
請求項１〜４の何れか１項に記載の測定システムであって、
前記検出部は、前記測定器及び各前記器具が収納ケースに収納されるとオン又はオフになる複数のスイッチを有する
ことを特徴とする測定システム。
【請求項６】
請求項１〜４の何れか１項に記載の測定システムであって、
前記検出部は、前記測定器及び各前記器具と通信して、識別情報を受信する通信部であり、
前記通信部は、前記測定器及び各前記器具から識別情報を受信することで、前記測定器及び各前記器具が収納ケースに収納されたか否かをそれぞれ検出する
ことを特徴とする測定システム。
【請求項７】
請求項６に記載の測定システムであって、
前記通信部は、前記使い捨て用器具と通信して、該使い捨て用器具の使用期限を受信し、
前記報知部は、使用期限が過ぎている前記使い捨て用器具がある場合は、その旨を報知する
ことを特徴とする測定システム。
【請求項８】
請求項１〜７の何れか１項に記載の測定システムであって、
前記収納ケースは、本体部と、前記本体部に設けられたヒンジにより開閉可能に前記本体部の開口部を覆う蓋部とを有し、
前記測定システムは、前記蓋部が閉められたことを検出する閉検出部を備え、
前記報知部は、前記閉検出部が蓋部が閉められたことを検出した場合に、前記検出部の検出結果に基づいて、音を出力することで前記ユーザに注意を促す
ことを特徴とする測定システム。
【請求項９】
請求項１〜８の何れか１項に記載の測定システムであって、
前記報知部は、前記収納ケース又は前記測定器に設けられている
ことを特徴とする測定システム。
【請求項１０】
請求項１〜９の何れか１項に記載の測定システムであって、
前記複数の器具の種類は、
皮膚を穿刺する穿刺部と、
先端に該穿刺部が着脱可能に装着され、前記ユーザが皮膚を穿刺するために用いる穿刺用器具部と、
前記測定器に着脱可能であって、前記ユーザの体液を吸収する試験紙を有するチップと、
を含み、
前記使い捨て用器具は、前記穿刺部及び前記チップである
ことを特徴とする測定システム。
【発明の詳細な説明】
【技術分野】
【０００１】
本発明は、体液中の所定成分を測定する測定器と該測定器を収納する収納ケースとを有する測定システムに関する。
【背景技術】
【０００２】
糖尿病の治療においては、高血糖を改善し、血糖値をできるだけ正常な数値に近づける血糖コントロールが重要であり、この血糖コントロールがうまくできないと、糖尿病が進行し、様々な合併症が発生する。血糖コントロールを行うために必要な血糖値を測定するためには、血糖計と血糖計に装着され血糖値を検出するためのチップ等が必要である。
【０００３】
下記特許文献１には、体液中の血糖値を検知するためのセンサーチップを収納するセンサーチップ収納体と、センサーチップの検出結果に基づいて血糖値を演算する血糖計である血糖値測定装置本体とを収納ケースに収納することが記載されている。
【先行技術文献】
【特許文献】
【０００４】
【特許文献１】特許第４４０５９６７号公報
【発明の概要】
【発明が解決しようとする課題】
【０００５】
しかしながら、糖尿病患者が、測定に必要な血糖値測定装置本体やセンサーチップ等の器具を収納ケースに収納することを忘れた状態で、該収納ケースを持って外出した場合は、外出先で血糖値を測定することはできず、血糖値をコントロールすることはできない。
【０００６】
また、糖尿病患者は、合併症によって弱視になったり失明している場合や、合併症でなくても高齢によって視力が低下している場合があり、収納ケースに血糖値測定装置本体やセンサーチップ等の器具が収納されていないことを気が付かない場合が多い。
【０００７】
本発明は、係る従来の問題点に鑑みてなされたものであり、測定に必要な血糖計及び器具の収納ケースへの収納忘れを防止する測定システムを提供することを目的とする。
【課題を解決するための手段】
【０００８】
上記目的を達成するために、本発明は、ユーザの体液の所定成分を測定する測定器と、前記測定器による測定を行うために必要な複数の器具と、前記測定器と前記複数の器具とを収納する収納ケースと、を備える測定システムであって、前記複数の器具は、１種類以上の器具からなり、且つ、同種類の使い捨て用器具を複数含み、前記収納ケースは、前記測定器及び各前記器具が収納ケースに収納されたか否かをそれぞれ検出する検出部を備え、前記測定システムは、前記検出部の検出結果に基づいて、音を出力することで前記ユーザに注意を促す報知部を備えることを特徴とする。
【０００９】
上記の構成によれば、測定システムは、測定器及び各器具が収納ケースに収納されたか否かを検出し、該検出結果に基づいて、音を出力してユーザに注意を促すので、ユーザは、収納されていない器具等を認識することができ、収納ケースへの収納忘れを防止することができる。従って、外出先でも血糖値を測定することができる。
【００１０】
前記測定システムであって、前記報知部は、前記測定器が収納されているか否か、各種類の前記器具が収納されているか否か、及び、前記使い捨て用器具が収納されている場合は、同種類の前記使い捨て用器具の数を報知することで前記ユーザに注意を促すことを特徴とする。
【００１１】
上記の構成によれば、測定器及び各種類の器具が収納されているか否か、及び、収納されている同種類の使い捨て用器具の数を報知するので、ユーザは、収納状態を認識することができ、収納されていない器具や残りが少ない使い捨て用器具等を収納ケースに収納することができる。
【００１２】
前記測定システムであって、前記報知部は、前記測定器が検出されなかった場合、前記収納ケースに収納される種類の器具のうち少なくとも１種類以上の器具が検出されなかった場合、又は、同種類の前記使い捨て用器具の数が閾値以上検出されかなった場合は、その旨を報知することで前記ユーザに注意を促すことを特徴とする。
【００１３】
上記の構成によれば、測定器が検出されなかった場合、収納ケースに収納される種類の器具のうち少なくとも１種類以上の器具が検出されなかった場合、又は、使い捨て用器具の数が閾値以上検出されなかった場合にその旨を報知するので、ユーザは、収納し忘れている器具や残り数が少ない使い捨て用器具等を認識することができ、収納されていない器具や残りが少ない使い捨て用器具等を収納ケースに収納することができる。
【００１４】
前記測定システムであって、前記閾値は、１日の予定測定回数から、前記測定器によって既に行われた１日の測定回数を減算した値であることを特徴とする。
【００１５】
上記の構成によれば、閾値は、１日の予定測定回数から、測定器によって既に行われた１日の測定回数を減算した値なので、今日の残りの測定回数分の使い捨て用器具を補充することができ、１日中外出した場合であっても、１日の予定測定回数分の測定を行うことができる。
【００１６】
前記測定システムであって、前記検出部は、前記測定器及び各前記器具が収納ケースに収納されるとオン又はオフになる複数のスイッチを有することを特徴とする。
【００１７】
上記の構成によれば、簡易な構成で、測定器及び各器具が収納されているか否かを検出することができる。
【００１８】
前記測定システムであって、前記検出部は、前記測定器及び各前記器具と通信して、識別情報を受信する通信部であり、前記通信部は、前記測定器及び各前記器具から識別情報を受信することで、前記測定器及び各前記器具が収納ケースに収納されたか否かをそれぞれ検出することを特徴とする。
【００１９】
上記の構成によれば、測定器及び各器具が収納されているか否かを検出することができると共に、測定器及び器具から必要な情報も取得することができる。
【００２０】
前記測定システムであって、前記通信部は、前記使い捨て用器具と通信して、該使い捨て用器具の使用期限を受信し、前記報知部は、使用期限が過ぎている前記使い捨て用器具がある場合は、その旨を報知することを特徴とする。
【００２１】
上記の構成によれば、使い捨て用器具から使用期限を受信して、使用期限が過ぎている場合はその旨を報知するので、使用期限が過ぎている使い捨て用器具を収納することを防止することができる。
【００２２】
前記測定システムであって、前記収納ケースは、本体部と、前記本体部に設けられたヒンジにより開閉可能に前記本体部の開口部を覆う蓋部とを有し、前記測定システムは、前記蓋部が閉められたことを検出する閉検出部を備え、前記報知部は、前記閉検出部が蓋部が閉められたことを検出した場合に、前記検出部の検出結果に基づいて、音を出力することで前記ユーザに注意を促すことを特徴とする。
【００２３】
上記の構成によれば、蓋部が閉められた時に検出結果に基づいて報知するので、適切なタイミングで報知することができる。
【００２４】
前記測定システムであって、前記報知部は、前記収納ケース又は前記測定器に設けられていることを特徴とする。
【００２５】
前記測定システムであって、前記複数の器具の種類は、皮膚を穿刺する穿刺部と、先端に該穿刺部が着脱可能に装着され、前記ユーザが皮膚を穿刺するために用いる穿刺用器具部と、前記測定器に着脱可能であって、前記ユーザの体液を吸収する試験紙を有するチップと、を含み、前記使い捨て用器具は、前記穿刺部及び前記チップであることを特徴とする。
【発明の効果】
【００２６】
本発明によれば、測定システムは、測定器及び各器具が収納ケースに収納されたか否かを検出し、該検出結果に基づいて、音を出力してユーザに注意を促すので、ユーザは、収納されていない器具等を認識することができ、収納ケースへの収納忘れを防止することができ、外出先でも血糖値を測定することができる。
【図面の簡単な説明】
【００２７】
【図１】第１の実施の形態の測定システムの収納ケースを開いたときの外観図である。
【図２】図１において、複数の器具を収納したときの収納ケースの外観図である。
【図３】チップの断面図である。
【図４】血糖計の外観図である。
【図５】第１の実施の形態の測定システムのブロック図である。
【図６】第１の実施の形態の測定システムの動作を示すフローチャートである。
【図７】第２の実施の形態の測定システムのブロック図である。
【図８】第２の実施の形態の測定システムの動作を示すフローチャートである。
【発明を実施するための形態】
【００２８】
本発明に係る測定システムについて、好適な実施の形態を掲げ、添付の図面を参照しながら以下、詳細に説明する。
【００２９】
［第１の実施の形態］
図１は、測定システム１０の収納ケース１２を開いたときの外観図、図２は、図１において、複数の器具を収納したときの収納ケース１２の外観図である。収納ケース１２は、本体部１４と、本体部１４に設けられたヒンジ１６により開閉可能に本体部１４の開口部１４ａを覆う蓋部１８とを有し、複数種類の器具を収納する。器具の種類としては、測定器としての血糖計２０、チップ２２、穿刺部２４、及び穿刺用器具部２６がある。測定システム１０は、この収納ケース１２、血糖計２０、チップ２２、穿刺部２４、及び穿刺用器具部２６で構成されるが、これに限定されるものではない。
【００３０】
チップ２２及び穿刺部２４は、使い捨て用器具であり、チップ２２は、図示しない包装体に収納された状態で、本体部１４に収納される。なお、本体部１４が設けられる側を下側、蓋部１８が設けられる側を上側として説明する。
【００３１】
本体部１４の内側には、血糖計２０と複数のチップ２２とを装着することができる。本体部１４の内側には、血糖計２０の収納ケース１２内での移動を規制して血糖計２０を固定する血糖計固定部材２８が設けられている。この血糖計固定部材２８は、本体部１４の底面１４ｂから、血糖計２０の形状に対応して上方（底面１４ｂ側とは反対側の方向）に突出する複数の突出片２９を有する。血糖計２０が装着される領域の底面１４ｂには、血糖計２０が血糖計固定部材２８に装着されるとオン又はオフになる機械式のスイッチ（例えば、モーメンタリスイッチ）３０が設けられている。
【００３２】
同様に、本体部１４の内側には、チップ２２の収納ケース１２内での移動を規制してチップ２２を固定するチップ固定部材３２が複数設けられている。このチップ固定部材３２は、本体部１４の底面１４ｂから、チップ２２の形状に対応して上方に突出する一対の突出片３３を有する。チップ２２が装着される領域の底面１４ｂには、チップ２２がチップ固定部材３２に装着されるとオン又はオフになる機械式のスイッチ（例えば、モーメンタリスイッチ）３４が複数設けられている。この複数のスイッチ３４は、各チップ固定部材３２に対応して設けられている。
【００３３】
なお、本実施の形態では、収納ケース１２は、５個のチップ２２を収納することから、チップ固定部材３２及びスイッチ３４は、５個ずつ設けられている。便宜上、複数のチップ固定部材３２及びスイッチ３４を、チップ固定部材３２ａ、３２ｂ、３２ｃ、３２ｄ、３２ｅ、スイッチ３４ａ、３４ｂ、３４ｃ、３４ｄ、３４ｅで表す。
【００３４】
蓋部１８の内側には、複数の穿刺部２４と穿刺用器具部２６とを装着することができる。蓋部１８の内側には、穿刺部２４の収納ケース１２内での移動を規制して穿刺部２４を固定する穿刺部固定部材３６が複数設けられている。この穿刺部固定部材３６は、蓋部１８の底面１８ａから、穿刺部２４の形状に対応して下方（底面１８ａと反対側の方向）に突出する複数の突出片３７を有する。穿刺部２４が装着される領域の底面１８ａには、穿刺部２４が穿刺部固定部材３６に装着されるとオン又はオフになる機械式のスイッチ（例えば、モーメンタリスイッチ）３８が複数設けられている。この複数のスイッチ３８は、各穿刺部固定部材３６に対応して設けられている。
【００３５】
なお、本実施の形態では、収納ケース１２は、５個のチップ２２を収納することから、穿刺部固定部材３６及びスイッチ３８は、５個ずつ設けられている。便宜上、複数の穿刺部固定部材３６及びスイッチ３８を、穿刺部固定部材３６ａ、３６ｂ、３６ｃ、３６ｄ、３６ｅ、スイッチ３８ａ、３８ｂ、３８ｃ、３８ｄ、３８ｅで表す。
【００３６】
同様に、蓋部１８の内側には、穿刺用器具部２６の収納ケース１２内での移動を規制して穿刺用器具部２６を固定する穿刺用器具固定部材４０が設けられている。この穿刺用器具固定部材４０は、蓋部１８の底面１８ａから、穿刺用器具部２６の形状に対応して下方（底面１８ａと反対側の方向）に突出する複数の突出片４１を有する。穿刺用器具部２６が装着される領域の底面１８ａには、穿刺用器具部２６が穿刺用器具固定部材４０に装着されるとオン又はオフになる機械式のスイッチ（例えば、モーメンタリスイッチ）４２が設けられている。
【００３７】
本体部１４には、蓋部１８が閉じられるとオン又はオフになる機械式のスイッチ（例えば、モーメンタリスイッチ）４４が設けられている。なお、スイッチ３０、３４ａ〜３４ｅ、３８ａ〜３８ｅ、４２、４４として、機械式のスイッチを用いたが、感圧センサ等を有する電子的スイッチであってもよく、光センサ等を有する光学的スイッチであってもよい。また、蓋部１８の内側には、音を出力するスピーカ４６が設けられている。
【００３８】
図３は、チップ２２の断面図である。チップ２２は、試験具として血糖計２０の先端に着脱可能に装着されるものである。チップ２２は、有底円筒状のベース筒５０と、ベース筒５０の底部付近から半径方向に突出するフランジ５２と、ベース筒５０の底部から突出する錘状のノズル５４と、ベース筒５０の底部内面に設置された試験紙５６とを有する。
【００３９】
ノズル５４の中心には、先端の点着部５８から試験紙５６に連通する直線状の血液導入路６０が設けられている。血液導入路６０は、血液を毛細現象により吸い上げる程度に十分細径に設定されており、点着部５８に接触した血液を試験紙５６まで導入する。試験紙５６は、導入された血液を吸収する。
【００４０】
試験紙５６の材質としては、例えば、ポリエーテルスルホンが挙げられる。試験紙５６に含浸させる試薬としては、例えば、グルコースオキシダーゼ（ＧＯＤ）、ペルオキシダーゼ（ＰＯＤ）、４−アミノアンチピリン、Ｎ−エチルＮ−（２−ヒドロキシ−３−スルホプロピル）等の発色剤が挙げられる。また、試薬には、所定の緩衝剤が含まれていてもよい。
【００４１】
血糖測定を行う際には、チップ２２の前記包装体の基端側に貼られたフィルム２２ａ（図２参照）を剥した上で、前記包装体ごと血糖計２０の先端に設けられたチップ装着部７０（図４参照）に被せることにより、嵌合力の差によって自動的に且つ手で触れることなく該チップ２２をチップ装着部７０に装着させることができる。血糖測定後には、血糖計２０のイジェクタ７２（図４参照）を先端側に押し出すことにより内部のレバーがチップ２２に係合して押し出し、チップ２２を取り外すことができる。一度使用したチップ２２は再使用されることなく捨てられる。なお、本実施の形態では、酵素比色法を用いたチップ２２を使用したが、酵素電極法を用いたチップであってもよい。
【００４２】
図４は、血糖計２０の外観図である。血糖計２０には、先端に試験具としてのチップ２２が装着される。血糖計２０には、患者自身が操作して血糖測定を行うパーソナルユースの用途として主に用いられるが、医療施設内で医療従事者等が患者に対して使用してもよい。本実施の形態では、血糖計２０を使用する患者、医療従事者等を総称してユーザと呼ぶ場合がある。
【００４３】
血糖計２０は、チップ２２が装着されるチップ装着部７０と、チップ装着部７０の近傍で且つ、血糖計２０の筐体２０ａ上面に設けられたイジェクタ７２と、筐体２０ａ上面の略中央に設けられた液晶の表示部７４と、筐体２０ａ上面の基端側に設けられた操作部７６とを有する。血糖計２０は、片手で把持し易いやや細長い形状であり、先端部は先端方向に向かって細くなり、血液の点着が行い易い形状になっている。
【００４４】
血糖計２０の上面部は、平面状に形成されており、表示部７４の視認性と操作部７６の操作性が良い。表示部７４は、計測した血糖値や所定の入力操作確認等の情報を表示する。操作部７６は、電源ボタン７６ａと、過去に記憶された測定値を読み出す記憶呼出ボタン７６ｂと、直近の音声報知内容を再度報知させるための再生ボタン７６ｃとを有する。
【００４５】
筐体２０ａの上面には、振動領域７８が設けられており、この振動領域７８の裏側に（筐体２０ａの内部）に、スピーカ８０（図５参照）が内蔵されている。振動領域７８は、スピーカ８０から出力された音に応じて振動することで、スピーカ８０から出力された音を、効率よく血糖計２０の外部に伝達することができる。振動領域７８は、電源ボタン７６ａ及び記憶呼出ボタン７６ｂと、再生ボタン７６ｃとの間に設けられている。
【００４６】
穿刺部２４及び穿刺用器具部２６については詳しく説明しないが、穿刺部２４は、患者の皮膚を穿刺する針（図示略）を有し、穿刺用器具部２６の先端に着脱可能に装着される。キャップ７７（図２参照）を取ることで穿刺部２４の前記針が露呈する。患者等の穿刺用器具部２６を把持して、先端に装着された穿刺部２４で皮膚を穿刺することで、該皮膚から血を出すことができる。一度使用した穿刺部２４は再使用されることなく捨てられる。
【００４７】
図５は、第１の実施の形態の測定システム１０のブロック図である。収納ケース１２は、スイッチ（閉検出部）４４、スピーカ（報知部）４６、検出部１０２、制御部１０４、記憶部１０５、及び通信部１０６を備える。検出部１０２は、スイッチ３０、複数のスイッチ３４ａ〜３４ｅ、複数のスイッチ３８ａ〜３８ｅ、及びスイッチ４２を有し、血糖計２０、複数のチップ２２、複数の穿刺部２４、及び穿刺用器具部２６が収納ケース１２内に収納されたか否かをそれぞれ検出する。
【００４８】
スイッチ３０は、血糖計２０が収納ケース１２に収納されたかを検出する。スイッチ３４ａは、チップ固定部材３２ａにチップ２２が収納されたかを検出し、スイッチ３４ｂは、チップ固定部材３２ｂにチップ２２が収納されたかを検出する。同様に、スイッチ３４ｃ、３４ｄ、３４ｅは、チップ固定部材３２ｃ、３２ｄ、３２ｅにチップ２２が収納されたかを検出する。
【００４９】
スイッチ３８ａは、穿刺部固定部材３６ａに穿刺部２４が収納されたかを検出し、スイッチ３８ｂは、穿刺部固定部材３６ｂに穿刺部２４が収納されたかを検出する。同様に、スイッチ３８ｃ、３８ｄ、３８ｅは、穿刺部固定部材３６ｃ、３６ｄ、３６ｅに穿刺部２４が収納されたかを検出する。スイッチ４２は、穿刺用器具固定部材４０に穿刺用器具部２６が収納されたかを検出する。
【００５０】
記憶部１０５には、音データ、１日の測定予定回数、及びプログラム等が記憶されている。制御部１０４は、ＣＰＵ及びメモリを有し、該ＣＰＵは、記憶部１０５に記憶された前記プログラムを実行することで制御部１０４として機能する。制御部１０４は、スイッチ４４によって、蓋部１８が閉められていることが検出された時に検出部１０２によって収納されていると検出された器具の種類を示す情報を記憶すると共に、同種類の器具が複数検出された場合は、その数も記憶する。つまり、検出されたチップ２２及び穿刺部２４の数も記憶する。通信部１０６は、必要に応じて血糖計２０と通信を行う。スピーカ４６は、検出部１０２の検出結果に基づいて音を出力することで、例えば、収納されてない器具等があることをユーザに知らせることで、注意を促す。
【００５１】
血糖計２０は、表示部７４、操作部７６、スピーカ（報知部）８０、測定部１１０、制御部１１２、記憶部１１３、及び通信部１１４を有する。測定部１１０は、図示しないが、装着されたチップ２２の試験紙５６にパルス状の光を照射する発光部と、呈色した試験紙５６が反射した光を受光する受光部とを有し、受光部が受光した受光信号をデジタル値に変換して制御部１１２に出力する。
【００５２】
記憶部１１３には、音データ及びプログラムが記憶されている。制御部１１２は、ＣＰＵ及びメモリを有し（図示略）、該ＣＰＵは、記憶部１１３に記憶されたプログラムを実行することで制御部１１２として機能する。制御部１１２は、測定部１１０から送られてきた受光信号に基づいて血糖値を算出する。また、制御部１１２は、操作部７６の操作等に応じて表示部７４に特定の情報（例えば、算出した血糖値）を表示させると共に、特定の情報（例えば、算出した血糖値）をユーザに報知するための音声乃至警告音等の音をスピーカ８０から出力させる。制御部１１２は、現在の時刻を計時するクロック機能を有する。
【００５３】
通信部１１４は、通信部１０６と通信を行う。この通信部１１４及び通信部１０６の通信は、例えば、Ｂｌｕｅｔｏｏｔｈ（登録商標）、接触式カード、Ｆｅｌｉｃａ（登録商標）等の非接触式カード、又は、ＲＦＩＤ（Radio Frequency Identification）等を用いて行うことができる。また、通信部１１４と通信部１０６とが電気的に接触することで相互に情報を送受信できるものであってもよい。
【００５４】
次に、第１の実施の形態の測定システム１０の動作を図６に示すフローチャートに従って説明する。
【００５５】
制御部１０４は、スイッチ４４により蓋部１８が閉じられたことを検出すると、スイッチ３０のオンオフ状態に基づいて、血糖計２０が収納ケース１２に収納されているか否かを判断する（ステップＳ１）。
【００５６】
ステップＳ１で、血糖計２０が収納されていると判断すると、そのままステップＳ３に進み、ステップＳ１で、血糖計２０が収納ケース１２に収納されていないと判断すると、制御部１０４は、血糖計２０が収納されていない旨を報知、例えば、「血糖計が収納されていません」等の音声データを記憶部１０５から読み出してスピーカ４６から音声を出力した後（ステップＳ２）、ステップＳ３に進む。
【００５７】
外出先で血糖値の測定を行うことができるように、ユーザは収納ケース１２を持って外出するが、収納ケース１２に血糖計２０が収納されていない場合は、外出先で血糖値の測定を行うことができない。従って、血糖計２０が収納ケース１２に収納されていない状態で蓋部１８が閉じられると、血糖計２０が収納されていない旨を報知することで、ユーザに注意を促す。
【００５８】
ステップＳ３に進むと、制御部１０４は、通信部１０６を介して、血糖計２０から既に測定した１日（今日）の測定回数を取得する。次いで、制御部１０４は、記憶部１０５に記憶されている１日の予定測定回数からステップＳ３で取得した測定回数を減算することで閾値を算出する（ステップＳ４）。なお、血糖計２０が収納ケース１２に収納されていない場合は、測定回数を取得することはできないので、閾値は算出されない。
【００５９】
次いで、制御部１０４は、スイッチ３４ａ〜スイッチ３４ｅのオンオフ状態に基づいて、チップ２２が収納ケース１２に収納されているか否かを判断する（ステップＳ５）。ステップＳ５でチップ２２が収納ケース１２に収納されていないと判断すると、制御部１０４は、チップ２２が収納されていない旨を報知、例えば、「チップが収納されていません」等の音声データを記憶部１０５から読み出してスピーカ４６から音声を出力した後（ステップＳ６）、ステップＳ９に進む。
【００６０】
収納ケース１２にチップ２２が収納されていない場合は、外出先で血糖値の測定を行うことができないので、チップ２２が収納ケース１２に収納されていない状態で蓋部１８が閉じられると、チップ２２が収納されていない旨を報知することで、ユーザに注意を促す。
【００６１】
一方、ステップＳ５で、チップ２２が収納ケース１２に収納されていると判断すると、制御部１０４は、収納ケース１２に収納されているチップ２２の数がステップＳ４で算出した閾値以上であるか否かを判断する（ステップＳ７）。
【００６２】
ステップＳ７で、収納されているチップ２２の数が閾値以上の場合は、そのままステップＳ９に進み、ステップＳ７で、収納ケース１２に収納されているチップ２２の数が閾値より小さい場合は、制御部１０４は、収納されているチップ２２が足りない旨を報知、例えば、「チップの残りが少ないです」等の音声データを記憶部１０５から読み出してスピーカ４６から音声を出力した後（ステップＳ８）、ステップＳ９に進む。なお、血糖計２０の未収納により閾値が算出されなかった場合は、そのままステップＳ９に進む。
【００６３】
１日の予定測定回数から既に測定した今日（本日）の測定回数を減算した値（閾値）が、今日の残りの測定回数であり、閾値分のチップ２２が収納ケース１２に収納されていない場合は、今日の残りの測定回数分の測定を外出先で行うことができない。従って、収納ケース１２に収納された使い捨て用器具であるチップ２２の数が閾値より少ない状態で蓋部１８が閉じられると、チップ２２が足りない旨を報知することで、ユーザに注意を促す。
【００６４】
ステップＳ９に進むと、制御部１０４は、スイッチ３８ａ〜スイッチ３８ｅのオンオフ状態に基づいて、穿刺部２４が収納ケース１２に収納されているか否かを判断する。ステップＳ９で、穿刺部２４が収納されていないと判断すると、制御部１０４は、穿刺部２４が収納されていない旨を報知、例えば、「穿刺部が収納されていません」等の音声データを記憶部１０５から読み出してスピーカ４６から音声を出力した後（ステップＳ１０）、ステップＳ１３に進む。
【００６５】
収納ケース１２に穿刺部２４が収納されていない場合は、外出先で皮膚を穿刺することができず、血糖値の測定を行うことができない。従って、穿刺部２４が収納ケース１２に収納されていない状態で蓋部１８が閉じられると、穿刺部２４が収納されていない旨を報知することで、ユーザに注意を促す。
【００６６】
一方、ステップＳ９で、穿刺部２４が収納ケース１２に収納されていると判断すると、制御部１０４は、収納ケース１２に収納されている穿刺部２４の数がステップＳ４で算出した閾値以上であるか否かを判断する（ステップＳ１１）。
【００６７】
ステップＳ１１で、収納されている穿刺部２４の数が閾値以上の場合は、そのままステップＳ１３に進み、ステップＳ１１で、収納されている穿刺部２４の数が閾値より小さい場合は、制御部１０４は、収納されている穿刺部２４が足りない旨を報知、例えば、「穿刺部の残りが少ないです」等の音声データを記憶部１０５から読み出してスピーカ４６から音声を出力した後（ステップＳ１２）、ステップＳ１３に進む。なお、血糖計２０の未収納により閾値が算出されなかった場合は、そのままステップＳ１３に進む。
【００６８】
１日の予定測定回数から既に測定した今日の測定回数を減算した値（閾値）が、今日の残りの測定回数であり、閾値分の穿刺部２４が収納ケース１２に収納されていない場合は、今日の残りの測定回数分の穿刺及び測定を外出先で行うことができない。従って、収納ケース１２に収納された使い捨て用器具である穿刺部２４の数が閾値より少ない状態で蓋部１８が閉じられると、チップ２２が足りない旨を報知することで、ユーザに注意を促す。
【００６９】
ステップＳ１３に進むと、制御部１０４は、スイッチ４２のオンオフ状態に基づいて、穿刺用器具部２６が収納ケース１２に収納されているか否かを判断し、ステップＳ１３で、穿刺用器具部２６が収納ケース１２に収納されていないと判断すると、制御部１０４は、穿刺用器具部２６が収納ケース１２に収納されていない旨を報知、例えば、「穿刺用器具部が収納されていません」等の音声データを記憶部１０５から読み出してスピーカ４６から音声を報知する（ステップＳ１４）。
【００７０】
収納ケース１２に穿刺用器具部２６が収納されていない場合は、外出先で皮膚を穿刺することができず、血糖値の測定を行うことができない。従って、穿刺用器具部２６が収納ケース１２に収納されていない状態で蓋部１８が閉じられると、穿刺部２４が収納されていない旨を報知することで、ユーザに注意を促す。
【００７１】
このように、第１の実施の形態では、スイッチ３０、３４、３８、４２を用いて、血糖計２０、複数のチップ２２、複数の穿刺部２４、及び穿刺用器具部２６が収納されたか否かを判断し、収納されていない場合は、その旨を報知するので、ユーザは、収納されていない器具等を認識することができ、収納ケース１２への収納忘れを防止することができ、外出先でも血糖値を測定することができる。
【００７２】
また、収納ケース１２に収納されたチップ２２の数、穿刺部２４の数が、閾値より小さい場合は、その旨を報知するので、１日中外出した場合であっても、１日の予定測定回数分の測定を行うことができる。また、蓋部１８が閉められた時に検出結果に基づいて報知するので、適切なタイミングで報知することができる。
【００７３】
なお、第１の実施の形態では、スイッチ３０を用いて血糖計２０が収納されたか否かを検出するようにしたが、スイッチ３０を設けずに、血糖計２０が通信部１１４から識別信号を送信し、収納ケース１２が通信部１０６で該識別信号を受信した場合に、血糖計２０が収納ケース１２に収納されたと判断するようにしてもよい。この場合は、通信部１０６と通信部１１４とは、血糖計２０が血糖計固定部材２８に固定された時（血糖計２０が収納ケース１２に収納された時）に通信可能となる。
【００７４】
［第２の実施の形態］
上記第１の実施の形態では、血糖計２０、チップ２２、穿刺部２４、及び穿刺用器具部２６が収納されたか否かを、スイッチ３０、３４ａ〜３４ｅ、３８ａ〜３８ｅ、４２を用いて検出するようにしたが、第２の実施の形態では、収納ケース１２が、血糖計２０、チップ２２、穿刺部２４、及び穿刺用器具部２６と通信することで、血糖計２０、チップ２２、穿刺部２４、及び穿刺用器具部２６が収納されたか否かを検出するようにしてもよい。なお、第２の実施の形態においては、第１の実施の形態と同様の構成要素又は部材について同一の符号を付し、異なる部分だけを説明する。
【００７５】
図７は、第２の実施の形態の測定システム１０のブロック図である。収納ケース１２は、スイッチ４４、スピーカ４６、検出部１０２、制御部１０４、及び記憶部１０５を備える。検出部１０２は、血糖計２０、複数のチップ２２、複数の穿刺部２４、及び穿刺用器具部２６が収納ケース１２内に収納されたか検出するものであり、詳しくは、通信部１２０、複数の通信部１２２（便宜上、１２２ａ〜１２２ｅで表す）、複数の通信部１２４（便宜上、１２４ａ〜１２４ｅで表す）、及び通信部１２６を有する。
【００７６】
通信部１２０は、血糖計２０と通信を行うものであり、血糖計２０が本体部１４に装着されている時に（血糖計２０が血糖計固定部材２８に固定された時に）、血糖計２０と通信が可能である。この通信部１２０は、スイッチ３０に替えて、本体部１４の血糖計２０が装着される領域の底面１４ｂに設けられる。
【００７７】
複数の通信部１２２ａ〜１２２ｅは、チップ２２と通信を行うものであり、チップ２２が本体部１４に装着されている時に（チップ２２がチップ固定部材３２ａ〜３２ｅに固定されている時に）、チップ２２と通信が可能である。この複数の通信部１２２ａ〜１２２ｅは、スイッチ３４ａ〜３４ｅに替えて、本体部１４のチップ２２が装着される領域の底面１４ｂに設けられる。この複数の通信部１２２ａ〜１２２ｅは、各チップ固定部材３２ａ〜３２ｅに対応して設けられ、対応するチップ固定部材３２ａ〜３２ｅで固定されたチップ２２と通信を行う。
【００７８】
複数の通信部１２４ａ〜１２４ｅは、穿刺部２４と通信を行うものであり、穿刺部２４が蓋部１８に装着されている時に（穿刺部２４が穿刺部固定部材３６ａ〜３６ｅに固定されている時に）、穿刺部２４と通信が可能である。この複数の通信部１２４ａ〜１２４ｅは、スイッチ３８ａ〜３８ｅに替えて、蓋部１８の穿刺部２４が装着される領域の底面１８ａに設けられる。この複数の通信部１２４ａ〜１２４ｅは、各穿刺部固定部材３６ａ〜３６ｅに対応して設けられ、対応する穿刺部固定部材３６ａ〜３６ｅで固定された穿刺部２４と通信を行う。
【００７９】
通信部１２６は、穿刺用器具部２６と通信を行うものであり、穿刺用器具部２６が蓋部１８に装着されている時に（穿刺用器具部２６が穿刺用器具固定部材４０に固定されている時に）、穿刺用器具部２６と通信が可能である。通信部１２６は、スイッチ４２に替えて、蓋部１８の穿刺用器具部２６が装着される領域の底面１８ａに設けられる。
【００８０】
血糖計２０の記憶部１１３には、更に、血糖計２０であることを示す識別情報（例えば、型番）等が記憶しており、血糖計２０の通信部１１４は、検出部１０２の通信部１２０と通信して、該識別情報を収納ケース１２に送信する。複数のチップ２２は、記憶部１３０と通信部１３２とを有する。記憶部１３０には、チップ２２であることを示す識別情報（例えば、型番）及び使用期限等が記憶され、複数のチップ２２の通信部１３２は、対応する検出部１０２の通信部１２２ａ〜１２２ｅと通信して、識別情報及び使用期限等を収納ケース１２に送信する。
【００８１】
複数の穿刺部２４は、記憶部１３４と通信部１３６とを有する。記憶部１３４には、穿刺部２４であることを示す識別情報（例えば、型番）等が記憶され、複数の穿刺部２４の通信部１３６は、対応する検出部１０２の通信部１２４ａ〜１２４ｅと通信して、識別情報等を収納ケース１２に送信する。穿刺用器具部２６は、記憶部１３８と通信部１４０とを有する。記憶部１３８には、穿刺用器具部２６であることを示す識別情報（例えば、型番）等が記憶され、穿刺用器具部２６の通信部１４０は、検出部１０２の通信部１２６と通信して、該識別情報等を収納ケース１２に送信する。
【００８２】
なお、血糖計２０、複数のチップ２２、複数の穿刺部２４、及び穿刺用器具部２６と、血糖計２０との通信は、例えば、接触式カード、Ｆｅｌｉｃａ（登録商標）等の非接触式カード、又は、ＲＦＩＤ（Radio Frequency Identification）等を用いて行うことができる。また、通信部同士が互いに電気的に接触することで相互に情報を送受信できるものであってもよい。
【００８３】
次に、第２の実施の形態の測定システム１０の動作を図８に示すフローチャートに従って説明する。
【００８４】
まず、制御部１０４は、スイッチ４４により蓋部１８が閉じられたことを検出すると、血糖計２０が収納ケース１２に収納されているか否かを判断する（ステップＳ２１）。詳しくは、通信部１２０が血糖計２０の識別情報を受信した場合には、制御部１０４は、血糖計２０が収納ケース１２に収納されていると判断する。このとき、血糖計２０は、識別情報と共に、既に測定した今日の測定回数、現在の日時を送信し、通信部１２０は、識別情報、今日の測定回数、及び現在の日時を受信する。
【００８５】
ステップＳ２１で、血糖計２０が収納されていると判断すると、そのままステップＳ２３に進み、ステップＳ２１で、血糖計２０が収納されていないと判断すると、制御部１０４は、血糖計２０が収納されていない旨を報知、例えば、「血糖計が収納されていません」の音声をスピーカ４６から出力して（ステップＳ２２）、ステップＳ２３に進む。
【００８６】
ステップＳ２３に進むと、制御部１０４は、１日の予定測定回数からステップＳ２１で受信した今日の測定回数を減算することで閾値を算出する。なお、血糖計２０が収納ケース１２に収納されていない場合は、測定回数を取得することはできないので、閾値は算出されない。
【００８７】
次いで、制御部１０４は、チップ２２が収納ケース１２に収納されているか否かを判断する（ステップＳ２４）。詳しくは、何れかの通信部１２２ａ〜１２２ｅがチップ２２の識別情報を受信した場合は、チップ２２が収納ケース１２に収納されていると判断する。このとき、チップ２２は、識別情報と共にチップ２２の使用期限を送信し、通信部１２２は、識別情報及び使用期限を受信する。
【００８８】
ステップＳ２４で、チップ２２が収納ケース１２に収納されていないと判断すると、制御部１０４は、チップ２２が収納されていない旨を報知、例えば、「チップが収納されていません」等の音声をスピーカ４６から出力して（ステップＳ２５）、ステップＳ３０に進む。
【００８９】
一方、ステップＳ２４で、チップ２２が収納ケース１２に収納されていると判断すると、制御部１０４は、収納ケース１２に収納されているチップ２２の数がステップＳ２４で算出した閾値以上であるか否かを判断する（ステップＳ２６）。
【００９０】
ステップＳ２６で、収納されているチップ２２の数が閾値以上の場合は、そのままステップＳ２８に進み、ステップＳ２６で、収納ケース１２に収納されているチップ２２の数が閾値より小さい場合は、制御部１０４は、収納されているチップ２２の数が足りない旨を報知、例えば、「チップの残りが少ないです」等の音声をスピーカ４６から出力して（ステップＳ２７）、ステップＳ２８に進む。チップ２２から識別情報を受信した通信部１２２の数が、収納されているチップ２２の数となる。なお、血糖計２０の未収納により閾値が算出されなかった場合は、そのままステップＳ２８に進む。
【００９１】
ステップＳ２８に進むと、制御部１０４は、ステップＳ２１で取得した現在の日時とステップＳ２４で取得したチップ２２の使用期限とに基づいて、使用期限が過ぎているチップ２２があるか否かを判断する。
【００９２】
ステップＳ２８で、使用期限が過ぎているチップ２２がない場合は、そのままステップＳ３０に進み、使用期限が過ぎているチップ２２がある場合は、制御部１０４は、使用期限が過ぎているチップがある旨を報知、例えば、「使用期限を過ぎているチップが収納されています」等の音声をスピーカ４６から出力して（ステップＳ２９）、ステップＳ３０に進む。なお、使用期限を過ぎているチップ２２が収納されている場所を報知するようにしてもよい。つまり、現在の日時より古い使用期限を受信した通信部１２２に対応するチップ固定部材３２の位置を報知してもよい。
【００９３】
ステップＳ３０に進むと、制御部１０４は、穿刺部２４が収納ケース１２に収納されているか否かを判断する。詳しくは、何れかの通信部１２４ａ〜１２４ｅが穿刺部２４の識別情報を受信した場合は、穿刺部２４が収納ケース１２に収納されていると判断する。
【００９４】
ステップＳ３０で、穿刺部２４が収納されていないと判断すると、制御部１０４は、穿刺部２４が収納されていない旨を報知、例えば、「穿刺部が収納されていません」等の音声をスピーカ４６から出力して（ステップＳ３１）、ステップＳ３４に進む。
【００９５】
一方、ステップＳ３０で、穿刺部２４が収納されていると判断すると、制御部１０４は、収納ケース１２に収納されている穿刺部２４の数がステップＳ２４で算出した閾値以上であるか否かを判断する（ステップＳ３２）。
【００９６】
ステップＳ３２で、収納されている穿刺部２４の数が閾値以上の場合は、そのままステップＳ３４に進み、ステップＳ３２で、収納ケース１２に収納されている穿刺部２４の数が閾値より小さい場合は、制御部１０４は、収納されている穿刺部２４の数が足りない旨を報知、例えば、「穿刺部の残りが少ないです」等の音声をスピーカ４６から出力して（ステップＳ３３）、ステップＳ３４に進む。穿刺部２４から識別情報を受信した通信部１２４の数が、収納されている穿刺部２４の数となる。なお、血糖計２０の未収納により閾値が算出されなかった場合は、そのままステップＳ３４に進む。
【００９７】
ステップＳ３４に進むと、制御部１０４は、穿刺用器具部２６が収納ケース１２に収納されているか否かを判断する。詳しくは、通信部１２６が穿刺用器具部２６の識別情報を受信した場合は、穿刺用器具部２６が収納ケース１２に収納されていると判断する。ステップＳ３４で、穿刺用器具部２６が収納されていないと判断すると、制御部１０４は、穿刺用器具部２６が収納されていない旨を報知、例えば、「穿刺用器具部が収納されていません」等の音声をスピーカ４６から報知する（ステップＳ３５）。
【００９８】
このように、第２の実施の形態では、第１の実施の形態で得られる効果に加え、収納ケース１２は、チップ２２から使用期限をそれぞれ受信するので、使用期限が過ぎているチップ２２がある場合は、その旨を報知することができ、ユーザが使用期限を過ぎているチップ２２を収納して、外出することを防止することができる。
【００９９】
［変形例］
上記各実施の形態は、以下のように変形してもよい。
【０１００】
（変形例１）上記各実施の形態では、収納ケース１２のスピーカ４６から音を報知してユーザに注意を促すようにしたが、血糖計２０のスピーカ８０から音を報知するようにしてもよい。この場合は、収納ケース１２の制御部１０４は、通信部１０６から、報知する内容を示す情報を血糖計２０に送信し、血糖計２０は、通信部１１４が受信した情報に対応する音声データを記憶部１１３から読み出して、音声を出力することで報知する。
【０１０１】
（変形例２）上記各実施の形態では、１日の予定測定回数から、血糖計２０が既に測定した今日の測定回数を減算することで、閾値を求めるようにしたが、閾値は、予め定められた値であってもよく、ユーザによって任意に設定した値であってもよい。
【０１０２】
（変形例３）上記各実施の形態では、収納ケース１２のスピーカ４６から音を報知してユーザに注意を促すようにしたが、ユーザのメールアドレス（携帯電話又はパソコン等のメールアドレス）に、報知する内容を示す文章を電子メールによって送信するようにしてもよい。この場合は、収納ケース１２又は血糖計２０は、ＳＭＴＰ（Simple Mail Transfer Protocol）を用いて電子メールを送信する報知部としてのメール送信部を有する。
【０１０３】
（変形例４）上記各実施の形態では、測定器の一種として体液中の血糖を測定する血糖計２０を用いて説明したが、血糖以外の体液中の所定成分を測定するものであればよい。この場合、測定部１１０は、血糖以外の体液中の所定成分を測定する機能を有する。
【０１０４】
（変形例５）上記各実施の形態では、音声を報知することでユーザに注意を促していたが、単に警告音を報知することでユーザに注意を促すようにしてもよい。
【０１０５】
（変形例６）上記各実施の形態では、収納ケース１２に血糖計２０、チップ２２、穿刺部２４、及び穿刺用器具部２６が収納されていない場合や、チップ２２及び穿刺部２４が収納されていてもその数が閾値より小さい場合は、その旨をユーザに報知するようにしたが、単に、収納ケース１２の収納状況をユーザに報知するようにしてもよい。
【０１０６】
例えば、血糖計２０、３個のチップ２２、２個の穿刺部２４、及び穿刺用器具部２６が収納ケース１２に収納されている場合は、「血糖計、チップ３個、穿刺部２個、穿刺用器具部が収納されています」の音声をスピーカ４６から出力するようにしてもよい。また、血糖計２０、４個のチップ２２、穿刺用器具部２６が収納ケース１２に収納され、穿刺部２４が収納されていない場合は、「血糖計、チップ４個、穿刺用器具部が収納されています。  穿刺部が収納されていません」の音声をスピーカ４６から出力する、なお、このときは、「穿刺部が収納されていません」の報知はしなくてもよい。収納されている器具のみを報知すれば、収納されていない器具を間接的に報知したことになるからである。また、逆に、収納されていない器具のみを報知することで、収納されている器具を間接的に報知してもよい。
【０１０７】
以上、本発明について好適な実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【符号の説明】
【０１０８】
１０…測定システム                    １２…収納ケース
１４…本体部                          １４ａ…開口部
１４ｂ、１８ａ…底面                  １６…ヒンジ
１８…蓋部                            ２０…血糖計
２２…チップ                          ２４…穿刺部
２６…穿刺用器具部                    ２８…血糖計固定部材
３０、３４、３８、４２、４４…スイッチ
３２…チップ固定部材                  ３６…穿刺部固定部材
４０…穿刺用器具固定部材              ４６、８０…スピーカ
５４…ノズル                          ５６…試験紙
７０…チップ装着部                    ７４…表示部
７６…操作部                          １０２…検出部
１０４、１１２…制御部                １０５、１１３…記憶部
１０６、１１４、１２０、１２２、１２４、１２６、１３２、１３６、１４０…通信部
１１０…測定部
【図１】
2014050456.tif 000003
【図２】
2014050456.tif 000004
【図３】
2014050456.tif 000005
【図４】
2014050456.tif 000006
【図５】
2014050456.tif 000007
【図６】
2014050456.tif 000008
【図７】
2014050456.tif 000009
【図８】
2014050456.tif 000010